(57)【特許請求の範囲】
【請求項１】
上部が開口するバケツ本体と、当該バケツ本体の開口部を開閉自在に覆う蓋体とからなる釣り用バケツに於て、
上記蓋体を折曲り部を介して折り曲げ可能に形成し、当該折曲り部を挟んで蓋体の一方側の周縁部に、閉鎖時にバケツ本体の外周を覆う壁部を延設すると共に、
蓋体の周縁部をファスナを介してバケツ本体の開口周縁部に止着可能として、前記折曲り部に対応する部分で当該ファスナを屈曲させたことを特徴とする釣り用バケツ。
【請求項２】
上部が開口するバケツ本体と、当該バケツ本体の開口部を開閉自在に覆う蓋体とからなる釣り用バケツに於て、
上記蓋体を折曲り部を介して折り曲げ可能に形成し、当該蓋体の周縁部に、閉鎖時にバケツ本体の外周を覆う壁部を延設すると共に、上記折曲り部に対応する部分の壁部に切欠きを設けたことを特徴とする釣り用バケツ。
【請求項３】
蓋体は、周縁部がファスナを介してバケツ本体の開口周縁部に止着可能で、当該ファスナは、折曲り部に対応する部分で屈曲していることを特徴とする請求項２に記載の釣り用バケツ。
【発明の詳細な説明】
【０００１】
【発明の属する技術分野】
本発明は、釣り具入れや撒き餌入れ等に使用される釣り用バケツに関する。
【０００２】
【従来の技術】
実開平６−６１０８１号公報または図７，図８に示すように、従来、釣り具入れや撒き餌入れに使用される釣り用バケツ（以下、「バケツ」という）１は、柔軟性，防水性を有する合成樹脂シートで形成されて上方が開口する箱状のバケツ本体３と、当該バケツ本体３の開口部５を覆う蓋体７と、バケツ１を運搬するためのハンドル９やベルトを備えたものが広く知られており、通常、蓋体７は、その周縁部がバケツ本体３の開口部５に沿ってファスナ１１で止着できるようになっている。
【０００３】
そして、撒き餌入れとして使用する場合に、いつでも撒き餌が掬えるように図８の如くファスナ１１を半ばまで開けて蓋体７を折り曲げ、蓋体７に装着した係合具１３，１５同士を係合させてバケツ１を半開状態で使用できる構成が一般的である。
尚、以下、本明細書に於て、半開状態とは、バケツ本体の開口部が全開状態以外で開放された状態をいう。
【０００４】
また、特開平１０−２４８４６３号公報には、図９及び図１０に示すようにバケツ本体１７と、その上部の開口部１９を開閉可能に覆う蓋体２１との間に、バケツ本体１７の一側に固定される固定蓋２３と、当該固定蓋２３との間の屈折部２５を介して開口部１９を自由に開閉する可動蓋２７とからなる補助蓋２９を介装して、可動蓋２７の横幅の略中央部に柄杓が嵌挿可能な切欠き部３１を設けたバケツ３３が開示されており、切欠き部３１に嵌挿した柄杓の持ち上げ操作で屈折部２５を境に可動蓋２７が開いて、図１０の如くバケツ３３が半開状態で使用できるようになっている。
【０００５】
そして、このバケツ３３も、蓋体２１と開口部５の周縁部に沿ってファスナ３５が取り付けられており、これを閉めることで開口部１９が蓋体２１によって完全に閉鎖されるようになっている。
【０００６】
【発明が解決しようとする課題】
ところで、図８及び図１０の如くバケツ１，３３を半開状態で使用すると、撒き餌が乾燥し、また、雨天時に雨が中に入り込んでしまうことがある。
【０００７】
このため、半開状態で使用していても、状況に応じ撒き餌を取り出してはすぐに蓋体を閉めて、必要なときだけ蓋体を開ける事態も生ずるが、このような場合に一々ファスナまで閉める作業は面倒で、通常、図７のバケツ１にあっては、蓋体７の開放端側７ａをバケツ本体３の開口部５に被せるだけのことが多い。
しかし、通常、蓋体７は柔軟性を有する材料で柔らかく形成されているため、斯様に蓋体７の開放端側７ａを開口部５に被せただけでは、風で煽られて開放端側７ａが開いてしまったり、開放端側７ａがバケツ本体３内に入り込んで、雨がこれを伝わって中に入ってしまう欠点があった。
【０００８】
そして、図９のバケツ３３にあっても、可動蓋２７を単に閉じただけでは、風で煽られて可動蓋２７が簡単に開いてしまい、バケツ本体１７を閉じた状態に保持しようとするならば、ファスナ２１を一々閉じる必要があった。
本発明は斯かる実情に鑑み案出されたもので、半開状態で使用し易く、また、一々ファスナ等の留め具で蓋体を保持しなくても、蓋体が風で煽られて開くことのないバケツを提供することを目的とする。
【０００９】
【課題を解決するための手段】
斯かる目的を達成するため、請求項１に係る発明は、上部が開口するバケツ本体と、当該バケツ本体の開口部を開閉自在に覆う蓋体とからなるバケツに於て、上記蓋体を折曲り部を介して折り曲げ可能に形成し、当該折曲り部を挟んで蓋体の一方側の周縁部に、閉鎖時にバケツ本体の外周を覆う壁部を延設すると共に、蓋体の周縁部をファスナを介してバケツ本体の開口周縁部に止着可能として、前記折曲り部に対応する部分で当該ファスナを屈曲させたことを特徴とする。
【００１０】
また、請求項２に係る発明は、上部が開口するバケツ本体と、当該バケツ本体の開口部を開閉自在に覆う蓋体とからなるバケツに於て、上記蓋体を折曲り部を介して折り曲げ可能に形成し、当該蓋体の周縁部に、閉鎖時にバケツ本体の外周を覆う壁部を延設すると共に、上記折曲り部に対応する部分の壁部に切欠きを設けたことを特徴とする。
そして、請求項３に係る発明は、請求項２に記載のバケツに於て、蓋体は、周縁部がファスナを介してバケツ本体の開口周縁部に止着可能で、当該ファスナは、折曲り部に対応する部分で屈曲していることを特徴とする。
【００１１】
（作用）
各請求項に係る発明によれば、半開状態で使用している蓋体を伏せると、壁部がバケツ本体の外周を覆ってバケツ本体内への雨の浸入を防ぎ、また、風で煽られても、壁部がバケツ本体の外周に引っ掛かって蓋体が不用意に開くことを防止する。
このため、請求項１及び請求項３に係る発明によれば、半開状態で使用した蓋体を伏せればよく、一々ファスナで蓋体をバケツ本体に止着する必要がない。
【００１２】
また、請求項１に係る発明によれば、折曲り部を挟んで蓋体の一方側の周縁部に壁部が延設され、請求項２に係る発明によれば、蓋体の周縁部に壁部を延設すると共に、折曲り部に対応する部分の壁部に切欠きを設け、更に、請求項１，３に係る発明によれば、ファスナが折曲り部に対応する部分で屈曲しているため、バケツの半開状態が維持し易くなる。
【００１３】
【発明の実施の形態】
以下、本発明の実施形態を図面に基づき説明する。
【００１４】
図１乃至図３は請求項１に係るバケツの一実施形態を示し、図１に於て、４１はエチレン酢酸ビニル，塩化ビニル等の柔軟な合成樹脂シートの端部を溶着や接着等で接合して形成した防水性を有するバケツ本体で、図２に示すようにバケツ本体４１は方形状に形成されて上部が開口し、開口部４３の一側に、バケツ本体４１と同一材料で形成された蓋体４５がヒンジ部材（連結部材）４７を介して連結されている。
【００１５】
また、一対のハンドル４９がバケツ本体４１の前側面５１と後側面５３の外周に取り付けられているが、図３に示すようにバケツ本体４１の側面の上部、即ち、前後側面５１，５３と左右側面５５，５７を構成する合成樹脂シートの上部は、金属や合成樹脂で形成された平面視矩形状のフレーム５９で外側に折り返されて開口部４３の開口周縁部を形成しており、夫々の折返し片６１は、端部を除き各側面５１，５３，５５，５７の外側にウエルダ加工によって接合されている。そして、各折返し片６１の端部と、蓋体４５の周縁部との間にファスナ（留め具）６３が縫着されており、ファスナ６３の操作部６５をヒンジ部材４７まで移動させると蓋体４５が全開状態となり、また、図２に示すように操作部６５をハンドル４９間まで移動させると、後述するように蓋体４５が半開状態で使用できるようになっている。
【００１６】
そして、図１に示すようにヒンジ部材４７は右側面５７の折返し片６１と蓋体４５との間に取り付けられているため、ハンドル４９が邪魔にならずに蓋体４５を開くことができ、また、上記フレーム５９によってバケツ本体４１の自立性，強度アップと開口部４３の形状保持が図られている。
【００１７】
尚、図３中、６７，６９は、折返し片６１と蓋体４５に縫着されたファスナ６３の帯である。
而して、本実施形態に係るバケツ７１は、上述の如き構成に加え、以下の如き特徴を有している。
即ち、図１に示すように蓋体４５の表面側の略中央には、前側面５１から後側面５３方向に溝を設けて薄肉とされた折曲り部７３が設けられており、当該折曲り部７３を介して蓋体４５の反ヒンジ部材４７側の一方側（以下、「可動蓋」という）４５ａと、ヒンジ部材４７側の他方側（以下、「固定蓋」という）４５ｂが谷折りできるようになっている。
【００１８】
そして、図示するように折曲り部７３を挟んで可動蓋４５ａの周縁部には、当該可動蓋４５ａを開口部４３に被せた際（蓋体４５の閉鎖時）に、バケツ本体４１（前後側面５１，５３と左側面５５）の上部外周を覆う壁部（以下、「スカート部」という）７５が、当該外周に沿って延設されている。そして、前，後側面５１，５３と左側面５５の折返し片６１は、当該スカート部７５の形状に沿って裁断されてその端部にファスナ６３が取り付き、また、蓋体４５側も固定蓋４５ｂの端部からスカート部７５の端部に亘って、ファスナ６３が屈曲し乍ら取り付けられている。
このようにファスナ６３は、スカート部７５の形状に沿って前記折曲り部７３に対応する部分で屈曲している。
【００１９】
本実施形態はこのように構成されており、例えば撒き餌入れとしての使用に当たって、ファスナ６３の操作部６５をヒンジ部材４７まで移動させてファスナ６３を開けると、蓋体４５が全開状態となって、可動蓋４５ａと固定蓋４５ｂの双方がヒンジ部材４７側外方へ展開できる。
一方、図２の如く操作部６５を折曲り部７３まで移動させた後、折曲り部７３を介して可動蓋４５ａを固定蓋４５ｂ側へ展開して開口部４３を開放すれば、バケツ７１が半開状態で使用できることとなる。
そして、スカート部７５が折曲り部７３を挟んで可動蓋４５ａの周縁部に設けられ、更にファスナ６３が、スカート部７５の形状に沿って前記折曲り部７３に対応する部分で屈曲して設けられているため、スカート部７５が折曲り部７３での可動蓋４５ａの展開に支障を来すことがなく、バケツ７１の半開状態が維持されることとなる。
【００２０】
そして、撒き餌をした後に、開いた可動蓋４５ａを開口部４３に被せれば開口部４３が閉鎖されるが、スカート部７５がバケツ本体４１の上部外周を覆ってバケツ７１内への雨の浸入を防ぎ、また、風で煽られても、スカート部７５がバケツ本体４１の上部外周に引っ掛かって、可動蓋４５ａが不用意に開くことを防止する。
【００２１】
従って、本実施形態によれば、図２の如く蓋体４５の可動蓋４５ａ側を開いて半開状態で使用がし易く、また、ファスナ６３を閉じず、開いた可動蓋４５ａを開口部４３に被せるだけで可動蓋４５ａが風で煽られて不用意に開いてしまうことがない。
このため、撒き餌後に一々ファスナ６３を閉じる煩わしさがなくなり、また、このようにファスナ６３を一々閉じなくてもよいため、可動蓋４５ａを再び手で持ち上げるだけで可動蓋４５ａを簡単に開くことができる等、従来に比し使い勝手が飛躍的に向上することとなった。
【００２２】
図４乃至図６は請求項２及び請求項３に係るバケツの一実施形態を示し、本実施形態は、溝を設けて薄肉とした上記実施形態の折曲り部７３に代え、蓋体４５-1の表面側の略中央に、前側面５１から後側面５３方向に折り曲げグセを付けて折曲り部７７を設けると共に、固定蓋４５ｂ-1の周縁部に、ヒンジ部材４７部分を除くバケツ本体４１（前，後側面５１，５３と右側面５７）の上部外周を覆う壁部（以下、「スカート部」という）７９を、当該外周に沿って延設したもので、スカート部７９は可動蓋４５ａ側のスカート部７５に比し高さが小さく形成されている。
【００２３】
そして、図４及び図５に示すように折曲り部７７に対応するスカート部７５，７９間にＶ字状の切欠き８１を設けて、可動蓋４５ａの開閉に支障がないように構成されており、前後側面５１，５３と左右側面５５，５７の折返し片６１は、両スカート部７５，７９の形状に沿って裁断されてその端部にファスナ６３が取り付き、また、蓋体４５-1側もスカート部７５，７９と切欠き８１の端部に亘ってファスナ６３が屈曲し乍ら取り付けられている。
このように本実施形態では、ファスナ６３がスカート部７５，７９の形状に沿って折曲り部７７に対応する部分で屈曲している。
【００２４】
このように本実施形態に係るバケツ７１-1は、折曲り部７７に対応するスカート部７５，７９間にＶ字状の切欠き８１を設けると共に、スカート部７５，７９の形状に沿ってファスナ６３を折曲り部７７に対応する部分で屈曲して設けたので、本実施形態によっても、可動蓋４５ａの開閉に支障がなく、半開状態でバケツバケツ７１-1が使用し易い利点を有する。
また、ファスナ６３を閉じず、開いた可動蓋４５ａを開口部４３に被せるだけで可動蓋４５ａが風で煽られて不用意に開いてしまうことがないため、撒き餌後に一々ファスナ６３を閉じる煩わしさがない等、所期の目的を達成することができることは勿論、本実施形態によれば、更にスカート部７９がバケツ本体４１の上部外周を覆って、バケツ７１-1内への雨の浸入をより確実に防止することができる利点を有する。
【００２５】
尚、上述した各実施形態では、積極的に溝や折り曲げグセを設けて折曲り部７３，７７を形成したが、蓋体全体に柔軟性を持たせてもよく、この場合、手で押さえなくても折り返し状態が維持できればよい。また、可動蓋４５ａを開いたままに保持する留め具を設けてもよい。
また、上記各実施形態では、蓋体４５，４５-1の可動蓋４５ａと固定蓋４５ｂ，４５ｂ-1を一体に設けたが、可動蓋と固定蓋を別部材で構成してこれらを連結してもよく、この場合、可動蓋側の剛性を固定蓋より大きくすると、閉じた時に確実にスカート部がバケツ本体の開口部外周に被ることとなる。
【００２６】
更にまた、上記各実施形態では、蓋体４５，４５-1をヒンジ部材４７を介してバケツ本体４１に連結したが、バケツ本体に対して蓋体がファスナやバックル等の留め具を介して着脱自在なバケツに本発明を適用することも可能である。
【００２７】
【発明の効果】
以上述べたように、各請求項に係る発明によれば、蓋体を折り曲げて半開状態でバケツが使用し易く、また、半開状態で使用した蓋体を伏せると、壁部がバケツ本体の外周に被るために、風で煽られても蓋体が開き難いといった利点を有する。
【図面の簡単な説明】
【図１】  請求項１の一実施形態に係るバケツの全体斜視図である。
【図２】蓋体の半開状態のバケツの全体斜視図である。
【図３】図１に示すバケツの要部拡大断面図である。
【図４】  請求項２及び請求項３の一実施形態に係るバケツの全体斜視図である。
【図５】蓋体の半開状態のバケツの全体斜視図である。
【図６】図４に示すバケツの要部拡大断面図である。
【図７】従来のバケツの全体斜視図である。
【図８】蓋体の半開状態のバケツの全体斜視図である。
【図９】従来の他のバケツの全体斜視図である。
【図１０】蓋体の半開状態のバケツの全体斜視図である。
【符号の説明】
４１  バケツ本体
４３  開口部
４５，４５-1  蓋体
４５ａ  可動蓋
４５ｂ，４５ｂ-1  固定蓋
６３  ファスナ
７１，７１-1  バケツ
７３，７７  折曲り部
７５，７９  スカート部
【図１】
0003790714.tif 000002
【図２】
0003790714.tif 000003
【図３】
0003790714.tif 000004
【図４】
0003790714.tif 000005
【図５】
0003790714.tif 000006
【図６】
0003790714.tif 000007
【図７】
0003790714.tif 000008
【図８】
0003790714.tif 000009
【図９】
0003790714.tif 000010
【図１０】
0003790714.tif 000011